(57)【特許請求の範囲】
【請求項１】
車内に設置されて携帯端末を保持自在な保持部と、その保持部に保持された前記携帯端末の充電を行う充電手段と、前記保持部に保持された前記携帯端末の周囲温度を検出する温度センサと、前記温度センサの検出温度に基づいて、前記保持部に保持された前記携帯端末の周囲温度が上昇傾向又は下降傾向にあるのか否かを判別して、その後、前記保持部に保持された前記携帯端末の周囲温度が前記携帯端末の使用に適している使用許容設定温度範囲外となるか否かを推測する判別手段と、その判別手段において前記携帯端末の周囲温度が前記使用許容設定温度範囲外になると推測された推測結果を通知する通知手段とを備えている携帯端末用ホルダ。
【請求項２】
前記通知手段は、前記判別手段の判別結果を表示する表示手段、及び、前記判別手段の判別結果を前記保持部に保持された前記携帯端末に通信する通信手段の一方又は両方にて構成されている請求項１に記載の携帯端末用ホルダ。
【請求項３】
前記保持部は、車内のダッシュボードの上部に設置され、前記温度センサは、前記保持部において直射日光が当たる部位に設置されている請求項１又は２に記載の携帯端末用ホルダ。
【請求項４】
前記保持部に前記携帯端末が保持されていない場合に、前記温度センサによる温度検出を停止し、前記保持部に前記携帯端末が保持されたことを検出した場合に、前記温度センサによる温度検出を開始させる温度検出制御手段を備えている請求項１〜３の何れか１項に記載の携帯端末用ホルダ。
【発明の詳細な説明】
【技術分野】
【０００１】
本発明は、車内に設置されて携帯端末を保持自在な保持部を備えた携帯端末用ホルダに関する。
【背景技術】
【０００２】
上記のような携帯端末用ホルダは、例えば、自動車等の車内にて用いられるものであり、保持部に加え、保持部に保持された携帯端末の充電を行う充電手段を備えたものがある（例えば、特許文献１参照。）。さらに、特許文献１に記載のホルダでは、保持部に保持させた状態で携帯端末を、ＦＭ送信機として利用できるようになっている
【先行技術文献】
【特許文献】
【０００３】
【特許文献１】特開２０１１−１６８２７３号公報
【発明の概要】
【発明が解決しようとする課題】
【０００４】
ｉＰｈｏｎｅ（登録商標）、Ａｎｄｒｏｉｄ（登録商標）、及び、ＷｅｂＯＳプラットフォーム等のスマートフォン、及び、その他各種の携帯端末は、通常、人が手にとって使用する。その為に、携帯端末が過酷な環境で使用されることは想定されておらず、携帯端末の使用に適した温度範囲（例えば、５〜３５℃）が設定されている機種が多い。しかしながら、例えば、真夏等では車内温度は大きく上昇し、真冬等では車内温度はかなり低下することから、車内温度変化の範囲は広い。その為、車内温度が携帯端末の使用に適した温度範囲から外れる場合もあり、車内にて携帯端末を使用することで携帯端末の故障等の問題を生じる可能性がある。
【０００５】
本発明は、かかる点に着目してなされたものであり、その目的は、車内にて携帯端末を使用するに当たり、携帯端末の故障等の問題の発生を防止しながら、携帯端末を適切に使用することができる携帯端末用ホルダを提供する点にある。
【課題を解決するための手段】
【０００６】
この目的を達成するために、本発明に係る携帯端末用ホルダの特徴構成は、車内に設置されて携帯端末を保持自在な保持部と、その保持部に保持された前記携帯端末の充電を行う充電手段と、前記保持部に保持された前記携帯端末の周囲温度を検出する温度センサと、前記温度センサの検出温度に基づいて、前記保持部に保持された前記携帯端末の周囲温度が上昇傾向又は下降傾向にあるのか否かを判別して、その後、前記保持部に保持された前記携帯端末の周囲温度が前記携帯端末の使用に適している使用許容設定温度範囲外となるか否かを推測する判別手段と、その判別手段において前記携帯端末の周囲温度が前記使用許容設定温度範囲外になると推測された推測結果を通知する通知手段とを備えている点にある。
【０００７】
本特徴構成によれば、判別手段が、携帯端末の周囲温度が使用許容設定温度範囲外となる前に、携帯端末の周囲温度が使用許容設定温度範囲外となるか否かを推測して、その判別手段の推測結果が通知手段によって通知される。これにより、携帯端末の周囲温度が使用許容設定温度範囲外となる前から、使用者は、このまま携帯端末の使用を継続すると、携帯端末の周囲温度が使用許容設定温度範囲外となる可能性があることを認識することができる。したがって、携帯端末を保持部から取り外して携帯端末の使用を中止する処置等をいち早く行うことができ、携帯端末の故障をより確実に防止できる。
【０００８】
本発明に係る携帯端末用ホルダの更なる特徴構成は、前記通知手段は、前記判別手段の判別結果を表示する表示手段、及び、前記判別手段の判別結果を前記保持部に保持された前記携帯端末に通信する通信手段の一方又は両方にて構成されている点にある。
【０００９】
本特徴構成によれば、表示手段が判別手段の判別結果を表示することで、使用者は判別手段の判別結果を適切に認識することができる。また、通信手段が判別手段の判別結果を携帯端末に通信することで、携帯端末に元々備えられている音声通知や表示等の機能を用いて、使用者に判別手段の判別結果を通知することができる。このように、通知手段を表示手段及び通信手段の一方又は両方にて構成することで、使用者への通知を適切に行うことができる。
【００１０】
本発明に係る携帯端末用ホルダの更なる特徴構成は、前記保持部は、車内のダッシュボードの上部に設置され、前記温度センサは、前記保持部において直射日光が当たる部位に設置されている点にある。
【００１１】
本特徴構成によれば、保持部は、車内のダッシュボードの上部に設置されているので、その保持部に保持されている携帯端末を運転座席に座っている運転者が認識できる位置に保持させることができる。そして、温度センサが、その保持部において直射日光が当たる部位に設置されているので、保持部に保持されている携帯端末の周囲温度として、直射日光によって高温側となる温度を検出することができる。これにより、携帯端末の周囲温度が携帯端末の使用に適する温度よりも上昇していることを適切に捉えることができ、車内温度が上昇し過ぎることによる携帯端末の故障の発生を確実に防止することができる。
【００１２】
本発明に係る携帯端末用ホルダの更なる特徴構成は、前記保持部に前記携帯端末が保持されていない場合に、前記温度センサによる温度検出を停止し、前記保持部に前記携帯端末が保持されたことを検出した場合に、前記温度センサによる温度検出を開始させる温度検出制御手段を備えている点にある。
【００１３】
本特徴構成によれば、温度センサによる温度検出を常時行うのではなく、温度検出制御手段が、保持部に携帯端末が保持されている場合のみ、温度センサ等に電力供給を行って温度検出を行うことができる。これにより、保持部に携帯端末が保持されていない場合に、温度センサによる温度検出を無駄に行うことがなく、消費電力を抑えて省電力化を図りながら、温度センサによる温度検出を適切なタイミングにて行うことができる。
【００１４】
【００１５】
【図面の簡単な説明】
【００１６】
【図１】保持部に携帯端末が保持された状態での携帯端末用ホルダの概略図
【図２】携帯端末用ホルダのブロック図
【発明を実施するための形態】
【００１７】
本発明に係る携帯端末用ホルダの実施形態を図面に基づいて説明する。
この携帯端末用ホルダ１００は、図１及び図２に示すように、自動車の車内１において用いられるものであり、車内１に設置されて携帯端末２を保持自在な保持部３と、その保持部３に保持された携帯端末２の充電を行う充電手段４とを備えている。図１は、車内１に設置された保持部３に携帯端末２が保持された状態での携帯端末用ホルダ１００の概略図である。図２は、携帯端末用ホルダ１００のブロック図である。
【００１８】
携帯端末用ホルダ１００は、保持部３及び充電手段４に加えて、保持部３に保持された携帯端末２の周囲温度を検出する温度センサ５と、その温度センサ５の検出温度に基づいて携帯端末２の周囲温度が携帯端末２の使用に適している否かを判別する判別手段６と、その判別手段６の判別結果を通知する通知手段７とを備えている。ここで、この実施形態では、携帯端末２として、ｉＰｈｏｎｅ（登録商標）、Ａｎｄｒｏｉｄ（登録商標）、及び、ＷｅｂＯＳプラットフォーム等のスマートフォンを用いている。
【００１９】
図１に示すように、保持部３は、フロントガラス８の下方側に位置する車内１のダッシュボード９の上部に設置されている。そして、保持部３は、保持された携帯端末２の表示画面が運転席に座っている運転者の方を向く姿勢にて、携帯端末２を保持自在に構成されている。
【００２０】
保持部３は、基台部３ａと、その基台部３ａの後端部から上方側に延びるように立設された延設壁部３ｂと、その延設壁部３ｂの上端部に設けられた庇部３ｃとを備えている。基台部３ａは、その後端部に対して携帯端末２の下端部を差し込み自在に構成されている。延設壁部３ｂは、その左右両端部が前方側に折り曲げられて延びる折り曲げ部位３ｄを備えており、その左右一対の折り曲げ部位３ｄの間に携帯端末２を挿脱自在に構成されている。そして、左右一対の折り曲げ部位３ｄの間に携帯端末２を挿入した状態で、左右一対の折り曲げ部位３ｄが携帯端末２の横側部に当接して、携帯端末２を安定した姿勢で保持している。庇部３ｃは、延設壁部３ｂの上端部から前方側に延びるように備えられており、保持部３に保持された携帯端末２に直射日光（図中白抜き矢印参照）が当たるのを防止している。
【００２１】
温度センサ５は、保持部３における庇部３ｃの上端部に設置されており、保持部３において直射日光（図中白抜き矢印参照）が当たる部位に設置されている。これにより、温度センサ５は、保持部３に保持された携帯端末２の周囲温度のうち高温側となる温度を検出している。そして、温度センサ５による温度検出については常時行うようにしている。
【００２２】
図２に示すように、充電手段４は、シガレットライター用の電源やその他用途の電源等の外部電源１０から給電される電力を、給電回路及び図外のコネクタ等を介して、保持部３に保持された携帯端末２に給電して充電を行っている。例えば、携帯端末２を保持部３に保持させることで、携帯端末２の下部と充電手段４の給電回路とが図外のコネクタにより接続されるようになっている。ちなみに、携帯端末２に充電を行う場合には、外部電源１０から給電される電力を、電圧変換装置により所望の電圧に変換して携帯端末２に給電している。
【００２３】
判別手段６は、温度センサ５の検出温度が携帯端末２の使用に適している使用許容設定温度範囲（例えば、５〜３５℃）外であるか否かを判別している。そして、通知手段７として、判別手段６の判別結果を表示する表示手段１１と、判別手段６の判別結果を保持部３に保持された携帯端末２に通信する通信手段１２とが備えられている。ここで、使用許容設定温度範囲については、適宜変更設定することができる。例えば、携帯端末２の機種によってその使用に適した温度範囲が異なる場合には、機種を選択することで、その選択された機種の使用に適した使用許容設定温度範囲を設定することができる。
【００２４】
図１に示すように、表示手段１１は、例えば、ＬＥＤ等の赤色の表示ランプであり、保持部３の基台部３ａの前方側に設置されている。表示手段１１は、温度センサ５の検出温度が携帯端末２の使用に適している使用許容設定温度範囲（例えば、５〜３５℃）外である場合に、表示ランプが点滅或いは点灯する。
通信手段１２は、Ｂｌｕｅｔｏｏｔｈ（登録商標）やＷｉ−Ｆｉ（登録商標）等による無線通信、或いは、有線通信により、携帯端末用ホルダ１００から保持部３に保持された携帯端末２に判別手段６の判別結果についての情報を通信している。この場合には、例えば、携帯端末２がその判別結果についての情報を受信することで、その判別結果を音声による通知や表示画面への表示等を行い、使用者に判別結果を通知している。
【００２５】
上述の如く、判別手段６は、温度センサ５の検出温度が使用許容設定温度範囲（例えば、５〜３５℃）外であるか否かを判別している。これに加えて、判別手段６は、温度センサ５の検出温度が使用許容設定温度範囲外となる前に、温度センサ５の検出温度が使用許容設定温度範囲外となるか否かを推測するように構成されている。つまり、判別手段６は、温度センサ５の検出温度に基づいて、保持部３に保持された携帯端末２の周囲温度が上昇傾向又は下降傾向にあるのか否かを判別して、その後、温度センサ５の検出温度が使用許容設定温度範囲外となるか否かを推測している。
【００２６】
このようにして、判別手段６は、温度センサ５の検出温度に基づいて携帯端末２の周囲温度が携帯端末２の使用に適しているか否かの判別として、温度センサ５の検出温度が使用許容設定温度範囲外となる前に、温度センサ５の検出温度が使用許容設定温度範囲外となるか否かを推測を行うことに加えて、実際に温度センサ５の検出温度が使用許容設定温度範囲外となっているか否かの判別を行っている。
【００２７】
ここで、温度センサ５による温度検出については、設定周期で繰り返し行っており、例えば、判別手段６は、今回の温度センサ５の検出温度が前回の温度センサ５の検出温度よりも上昇している状態が設定回数以上連続して継続している場合に、保持部３に保持された携帯端末２の周囲温度が上昇傾向であると判別することができる。そして、判別手段６は、例えば、上昇傾向であると判別された複数の温度センサ５の検出温度を結ぶ近似直線を求め、その近似直線と使用許容設定温度範囲の上限温度とを比較することで、現時点から設定時間経過するまでに、温度センサ５の検出温度が使用許容設定温度範囲よりも上昇するか否かを推測することができる。また、下降傾向であるか否かの判別、及び、温度センサ５の検出温度が使用許容設定温度範囲よりも下降するか否かの推測については、上述の上昇傾向の場合と同様にして行うことができる。
【００２８】
このようにして、判別手段６が、保持部３に保持された携帯端末２の周囲温度が使用許容設定温度範囲外になるか否かを推定するので、通知手段７は、その判別手段６の推定結果を通知するようにしている。例えば、表示手段１１では、判別手段６が保持部３に保持された携帯端末２の周囲温度が使用許容設定温度範囲外になると推定すると、表示ランプを点灯させる。そして、判別手段６が温度センサ５の検出温度が使用許容設定温度範囲外であると判別すると、表示手段１１では表示ランプを点滅させる。このように、表示手段１１は、判別手段６の推定結果を表示する場合と判別手段６の判別結果を表示する場合とでその表示形態を異ならせて、どちらの場合を表示しているのかを使用者が把握できるようにしている。また、通信手段１２では、上述と同様に、無線通信、或いは、有線通信により、携帯端末用ホルダ１００から保持部３に保持された携帯端末２に判別手段６の推定結果についての情報を通信している。この場合には、例えば、携帯端末２がその推定結果についての情報を受信することで、その推定結果を音声による通知や表示画面への表示等を行い、使用者に推定結果を通知している。
【００２９】
また、例えば、判別手段６が携帯端末２の周囲温度が使用許容設定温度範囲外になると推定した場合に、判別手段６が携帯端末２の周囲温度が使用許容設定温度範囲外に達するタイミングをも推測することもできる。この場合には、通知手段７が、その判別手段６にて推測されたタイミングをも通知することで、使用者は、どのタイミングまで使用を継続できるかを把握することができる。更に、例えば、充電手段４にて充電している場合には、通信手段１２によって判別手段６にて推測されたタイミングの情報を携帯端末２に通信して、携帯端末２の充電が完了するタイミングと判別手段６にて推測されたタイミングとを比較することで、携帯端末２の充電が完了可能か否かをも通知することができる。
【００３０】
〔別実施形態〕
（１）上記実施形態では、判別手段６が、温度センサ５の検出温度が使用許容設定温度範囲外となる前に、温度センサ５の検出温度が使用許容設定温度範囲外となるか否かを推測することに加え、実際に温度センサ５の検出温度が使用許容設定温度範囲外となっているか否かの判別を行うようにしている。これに代えて、判別手段６は、温度センサ５の検出温度が使用許容設定温度範囲外となる前に、温度センサ５の検出温度が使用許容設定温度範囲外となるか否かを推測するだけでもよい。この場合、通知手段７は、判別手段６の推定結果のみ通知することになる。又は、判別手段６は、実際に温度センサ５の検出温度が使用許容設定温度範囲外となっているか否かの判別を行うだけでもよい。この場合、通知手段７は、判別手段６の判別結果のみ通知することになる。
【００３１】
（２）上記実施形態では、通知手段７として、表示手段１１と通信手段１２の両者を備えている。これに代えて、通知手段７として表示手段１１のみを備える、又は、通知手段７として通信手段１２のみを備えることもできる。
【００３２】
（３）上記実施形態では、温度センサ５を１つ備えているが、複数の温度センサを備えることもできる。この場合、例えば、判別手段６は、複数の温度センサ５の検出温度のうち、最も高温の検出温度及び最も低温の検出温度を用いて、温度センサ５の検出温度が使用許容設定温度範囲外となるか否かの推測、及び、実際に温度センサ５の検出温度が使用許容設定温度範囲外となっているか否かの判別を行うことができる。
【００３３】
（４）上記実施形態では、保持部３について、延設壁部３ｂにて携帯端末２の後面部を覆う状態で保持している。これに代えて、延設壁部３ｂの中央部等に開口部を備え、携帯端末２の後面部等に車内に通風される空調空気を当たり易くすることもできる。また、保持部３の形状や携帯端末２を保持する姿勢等については、適宜変更が可能である。
【００３４】
（５）上記実施形態では、温度センサ５の設置位置について、保持部３における庇部３ｃの上部に設置している。これに代えて、保持部３における延設壁部３ｂの背面部等、直射日光の当たる他の部位に温度センサ５を設置することもできる。
【００３５】
（６）上記実施形態では、温度センサ５による温度検出を常時行うようにしている。これに代えて、図２中点線で示すように、温度センサ５による温度検出の開始及び停止を制御する温度検出制御手段１３を備えて、温度センサ５による温度検出を断続的に行うこともできる。この温度検出制御手段１３は、保持部３に携帯端末２が保持されていない場合に、温度センサ５による温度検出を停止し、保持部３に携帯端末２が保持されたことを検出した場合に、温度センサ５による温度検出を開始する。これにより、携帯端末２が保持部３に保持されたときのみ温度センサ５等に電力供給して温度検出を行い、無駄な電力消費を抑制して省電力化を図ることができる。
【００３６】
ここで、保持部３に携帯端末２が保持されたことの検出については、例えば、充電手段４により携帯端末２への給電が開始されたことを検出することで行うことができる。そして、保持部３から携帯端末２が外されると、充電手段４による携帯端末２への給電が停止されるので、その給電停止を検出することで、温度センサ５による温度検出を停止することができる。また、例えば、保持部３の基台部３ａに携帯端末２が差し込まれるとＯＮ操作されるスイッチを備えておき、そのスイッチがＯＮ操作されたことを検出することでも、保持部３に携帯端末２が保持されたことの検出を行うことができる。この場合には、保持部３から携帯端末２が外されて、スイッチがＯＦＦ操作されたことを検出することで、温度センサ５による温度検出を停止することができる。
【産業上の利用可能性】
【００３７】
本発明は、車内に設置されて携帯端末を保持自在な保持部を備え、携帯端末の周囲温度が携帯端末の使用に適した温度範囲から外れることによる携帯端末の故障等の問題の発生を防止しながら、車内にて携帯端末を適切に使用することができる各種の携帯端末用ホルダに適応可能である。
【符号の説明】
【００３８】
２          携帯端末
３          保持部
４          充電手段
５          温度センサ
６          判別手段
７          通知手段
１１        表示手段
１２        通信手段
１３        温度検出制御手段
１００      携帯端末用ホルダ
【図１】
0005811792.tif 000002
【図２】
0005811792.tif 000003